(57)【要約】【課題】目地幅が大きくなってもしっかりとした止水状態を維持することができる目地止水構造を提供する。【解決手段】例えば隣り合う左右の外壁面材１，１間の目地内空間部２に弾性型成形シーリング材４が設置されると共に、該シーリング材４は背面側に開く凹所４ｄを備え、各外壁面材１，１の側に取り付けられた引掛け材５が目地内空間部２においてシーリング材４の凹所４ｄ内に突出し、目地幅が大きくなると、シーリング材４が引掛け材５に引っ張られて幅方向に伸長するようになされている。また、引掛け材５が止水板からなり、目地幅が大きくなると、引掛け材５の、シーリング材の凹所内に突出する部分とシーリング材４の凹所４ｄの内面部とが目地を止水状態にするように押し合って密接するようになされている。【選択図】      図１
2007120172.tif 000002
【特許請求の範囲】
【請求項１】
隣り合う外壁面材等の部材間の目地内空間部に弾性型成形シーリング材が設置されると共に、該シーリング材は背面側に開く凹所を備え、各部材の側に取り付けられた引掛け材が目地内空間部においてシーリング材の凹所内に突出し、目地幅が大きくなると、シーリング材が引掛け材に引っ張られて幅方向に伸長するようになされていることを特徴とする目地止水構造。
【請求項２】
前記引掛け材が止水板からなり、
目地幅が大きくなると、引掛け材の、シーリング材の凹所内に突出する部分とシーリング材の凹所の内面部とが目地を止水状態にするように押し合って密接するようになされている請求項１に記載の目地止水構造。
【請求項３】
隣り合う外壁面材等の部材間の目地内空間部に弾性型成形シーリング材が設置されると共に、該シーリング材は背面側に開く凹所を備え、各部材の側に取り付けられた水切り板からなる引掛け材が目地内空間部においてシーリング材の凹所内に突出し、目地幅が大きくなると、引掛け材の、シーリング材の凹所内に突出する部分とシーリング材の凹所の内面部とが目地を止水状態にするように押し合って密接するようになされていることを特徴とする目地止水構造。
【発明の詳細な説明】
【技術分野】
【０００１】
本発明は、外壁等に用いられる目地止水構造に関する。
【背景技術】
【０００２】
例えば外壁目地の止水構造として、従来より、図４（イ）に示すように、外壁面材５１，５１間の目地内空間部内に湿式の不定形シーリング材５２を充填したり、図４（ロ）に示すように、ガスケットなどの弾性型成形シーリング材５３を嵌め込んだものが提供されている。５４はバックアップ材である。
【発明の開示】
【発明が解決しようとする課題】
【０００３】
しかしながら、上記のような止水構造では、外壁面材５１，５１の縮みなどによって目地幅が大きくなると、シーリング材５２，５３と外壁面材１との間の止水性能が悪化してしまうおそれがあるという問題がある。
【０００４】
本発明は、上記のような問題点に鑑み、目地幅が大きくなってもしっかりとした止水状態を維持することができる目地止水構造を提供することを課題とする。
【課題を解決するための手段】
【０００５】
上記の課題は、隣り合う外壁面材等の部材間の目地内空間部に弾性型成形シーリング材が設置されると共に、該シーリング材は背面側に開く凹所を備え、各部材の側に取り付けられた引掛け材が目地内空間部においてシーリング材の凹所内に突出し、目地幅が大きくなると、シーリング材が引掛け材に引っ張られて幅方向に伸長するようになされていることを特徴とする目地止水構造によって解決される（第１発明）。
【０００６】
上記の目地止水構造では、目地幅が大きくなっても、シーリング材が引掛け材に引っ張られて幅方向に伸長するようになされているので、シーリング材と部材との間の止水性能の悪化が防止ないしは抑制され、目地幅が大きくなってもしっかりとした止水状態を維持することができる。
【０００７】
上記の目地止水構造において、前記引掛け材が止水板からなり、
目地幅が大きくなると、引掛け材の、シーリング材の凹所内に突出する部分とシーリング材の凹所の内面部とが目地を止水状態にするように押し合って密接するようになされているとよい（第２発明）。
【０００８】
この場合は、目地幅が大きくなると、シーリング材の幅方向への伸長によってシーリング材と部材との間の止水性能の悪化が防止ないしは抑制されるだけでなく、引掛け材が止水板からなっていること、及び、目地幅が大きくなると引掛け材とシーリング材とが押し合い状態に密接することによって、止水性能が高められ、目地幅が大きくなってもしっかりとした止水状態を維持することができる。
【０００９】
また、上記の課題は、隣り合う外壁面材等の部材間の目地内空間部に弾性型成形シーリング材が設置されると共に、該シーリング材は背面側に開く凹所を備え、各部材の側に取り付けられた水切り板からなる引掛け材が目地内空間部においてシーリング材の凹所内に突出し、目地幅が大きくなると、引掛け材の、シーリング材の凹所内に突出する部分とシーリング材の凹所の内面部とが目地を止水状態にするように押し合って密接するようになされていることを特徴とする目地止水構造によって解決される（第３発明）。
【００１０】
この目地止水構造では、目地幅が大きくなると、引掛け材が止水板からなっていること、及び、目地幅が大きくなると引掛け材とシーリング材とが押し合い状態に密接することによって、目地の止水性能が高められ、目地幅が大きくなってもしっかりとした止水状態を維持することができる。
【発明の効果】
【００１１】
本発明は、以上のとおりのものであるから、目地幅が大きくなってもしっかりとした止水状態を維持することができる。
【発明を実施するための最良の形態】
【００１２】
次に、本発明の実施最良形態を図面に基づいて説明する。
【００１３】
図１（イ）（ロ）に示す第１実施形態の目地止水構造において、１，１は部材としての窯業系などからなる外壁面材であり、隣り合う左右の外壁面材１，１間の縦目地の目地内空間部２に弾性型成形シーリング材４が、屋外側からの嵌め込みによって設置され、該シーリング材４は、その正面側に備えられた止水用カバー部４ａが外壁面材１，１間をカバーすると共に、側面部に備えられた止水用ヒレ４ｂ…が目地内空間部２を挟む外壁面材１，１の側面部に弾力的に当接することによって目地を止水状態にしている。
【００１４】
そして、上記の弾性型成形シーリング材には、背面側に開く凹所４ｄが備えられていると共に、各外壁面材１，１には引掛け材５，５が取り付けられ、各引掛け材５は、Ｌ形に曲成されていて、目地の延びる方向に延ばされた止水板、例えば止水鋼板などからなっており、一方の辺５ａが、取付け側の辺として、外壁面材１の背面側に沿わされ、もう一方の辺５ｂの側を外壁面材１の側面位置よりも外方に位置させるようにして外壁面材１に取り付けられると共に、もう一方の辺５ｂが、引掛け側の辺として、外壁面材１の側面部との間に間隔をおいて正面側に突出し、シーリング材４の凹所４ｄ内に突出している。なお、各引掛け材５，５の引掛け側の辺５ｂ，５ｂは互いに間隔をおくようにして備えられている。３，３は下地材である。
【００１５】
また、引掛け材５の引掛け側の辺５ｂはその先端側が外向きに１８０°折り返されると共に、シーリング材４の凹所４ｄ内にはくびれ部４ｅが設けられ、引掛け側の辺５ｂとくびれ部４ｅとの係合によって、シーリング材４が屋外側に外れてしまうのが阻止されるようになされている。
【００１６】
上記の目地止水構造では、図２（イ）に示すように、外壁面材１，１の縮み等によって目地幅が大きくなると、シーリング材４が引掛け材５，５によって左右方向に引っ張られて幅方向に伸長し、それによって、図示するように、少なくとも側面部のヒレ４ｂ…と外壁面材１の側面部との弾力的な当接状態は維持されて、シーリング材４と各外壁面材１，１との間が開いてしまうのが抑制され、目地幅が大きくなってもしっかりとした止水状態を維持することができる。なお、目地幅が大きくなると、正面側のカバー部４ａが左右方向に引っ張られて伸長し、正面側のカバー部４ａと各外壁面材１との間も止水状態が維持されるようになされていてもよい。
【００１７】
そして、このように、目地幅が大きくなると、シーリング材４と各外壁面材１，１との間が開いてしまうのが抑制ないしは防止されるだけでなく、引掛け材５が止水板からなっていて、目地幅が大きくなると引掛け材５の引掛け側の辺５ｂとシーリング材４とが押し合い状態に密接することによって、その部分の止水性能も高められ、しっかりとした止水状態が維持される。
【００１８】
なお、図２（ロ）に示すように、外壁面材１，１の膨張等によって目地幅が小さくなると、シーリング材４が左右方向に圧縮されることによってしっかりとした止水状態が維持される。
【００１９】
図３（イ−１）（イ−２）に示す第２実施形態の目地止水構造は、各引掛け材５の引掛け側の辺５ｂの先端側が外向きに折り返されて、該折り返し部５ｃが引掛け側の辺５ｂの基端側に対して鋭角に傾斜するようになされたもので、この傾斜折り返し部５ｃをせき止め部として屋内側への水の侵入が阻止されるようになされている。その他は、第１実施形態と同様である。
【００２０】
図３（ロ−１）（ロ−２）に示す第３実施形態の目地止水構造は、シーリング材４の側面部の止水用のヒレが省略されると共に、各引掛け材５の引掛け側の辺５ｂの先端側が外向きに直角に曲げられたもので、目地幅が大きくなると、シーリング材４の正面側のカバー部４ａが左右方向に引っ張られて伸長し、シーリング材４と各外壁面材１，１との間の止水状態が維持されると共に、引掛け材５の引掛け側の辺５ｂとシーリング材４とが押し合い状態に密接することによって、止水性能が高められるようになされている。
【００２１】
図３（ハ−１）（ハ−２）に示す第４実施形態の目地止水構造は、シーリング材４の側面部の止水用のヒレが省略されると共に、凹所４ｄ内にヒレ４ｃ…が設けられ、かつ、各引掛け材５の引掛け側の辺５ｂの先端側が外向きに直角に曲げられたもので、目地幅が大きくなると、引掛け材５の引掛け側の辺５ｂとシーリング材４の凹所４ｄ内のヒレ４ｃ…とが押し合い状態に密接して止水性能が高められ、また、シーリング材４の正面側のカバー部４ａも左右方向に引っ張られて伸長し、シーリング材４と各外壁面材１，１との間の止水状態も維持されるようになされている。
【００２２】
以上に、本発明の実施形態を示したが、本発明はこれに限られるものではなく、発明思想を逸脱しない範囲で各種の変更が可能である。例えば、本発明では、目地幅が大きくなると、シーリング材と外壁面材との間が水の侵入を許容するように開いてしまうと共に、引掛け材の引掛け側の辺とシーリング材の凹所の内面部とが押し合い状態に密接して止水状態が維持されるようになされていてもよい。また、目地幅が大きくなると、シーリング材と外壁面材との間の止水状態が維持されるようになされていると共に、引掛け材の引掛け側の辺とシーリング材の凹所の内面部との間では止水されないようになされていてもよい。
【００２３】
また、上記の実施形態では、弾性型成形シーリング材や引掛け材として特定の形態のものを用いた場合を示したが、これらの形態に制限はなく、各種形態のものが用いられてよい。更に、上記の実施形態では、外壁目地に適用した場合を示したが、本発明は、各種目地の止水に用いることができるものである。また、目地は縦目地のほか、横目地であってもよいし、上向きあるいは下向きの水平目地などであってもよい。
【図面の簡単な説明】
【００２４】
【図１】第１実施形態の目地止水構造を示すもので、図（イ）は弾性型成形シーリング材を分離状態にした断面平面図、図（ロ）はシーリング材を設置した状態の断面平面図である。
【図２】図（イ）は目地幅が大きくなった状態の断面平面図、図（ロ）は目地幅が小さくなった状態の断面平面図である。
【図３】図（イ−１）及び図（イ−２）は第２実施形態の目地止水構造を示す断面平面図、図（ロ−１）及び図（ロ−２）は第３実施形態の目地止水構造を示す断面平面図、図（ハ−１）及び図（ハ−２）は第４実施形態の目地止水構造を示す断面平面図である。
【図４】図（イ）及び図（ロ）はそれぞれ、従来の目地止水構造を示す断面平面図である。
【符号の説明】
【００２５】
１…外壁面材（部材）
２…目地内空間部
４…弾性型成形シーリング材
４ｄ…凹所
５…止水板（引掛け材）
【図１】
2007120172.tif 000003
【図２】
2007120172.tif 000004
【図３】
2007120172.tif 000005
【図４】
2007120172.tif 000006